(57)【特許請求の範囲】
【請求項１】
複数の装置の色域情報を取得する色域情報取得手段と、
前記色域情報に対する重み付け係数を設定する重み付け係数設定手段と、
前記色域情報と重み付け係数とに基づいて、重み付け平均により前記複数の装置について仮想的に設定される仮想色域を生成する色域生成手段と、
を備えることを特徴とする色域生成装置。
【請求項２】
請求項１記載の色域生成装置において、前記重み付け係数は、前記複数の装置に設定された優先順位に基づいて設定されることを特徴とする色域生成装置。
【請求項３】
請求項１または請求項２記載の色域生成装置において、前記重み付け係数は、彩度を調整する彩度重み付け係数、明度を調整する明度重み付け係数、色相を調整する色相重み付け係数の少なくとも１つであることを特徴とする色域生成装置。
【請求項４】
請求項１から請求項３のいずれか一項記載の色域生成装置において、前記重み付け係数は、色相に応じて値が変更されることを特徴とする色域生成装置。
【請求項５】
請求項１から請求項４のいずれか一項記載の色域生成装置において、前記重み付け係数は、印刷目的毎に設定されることを特徴とする色域生成装置。
【請求項６】
請求項１から請求項５のいずれか一項記載の色域生成装置において、前記色域情報は、所定の画像信号を装置の色特性に与えて得られる信号値であることを特徴とする色域生成装置。
【請求項７】
請求項１から請求項５のいずれか一項記載の色域生成装置において、前記色域情報は、装置の色域の、所定の色相または明度における外郭の信号値であることを特徴とする色域生成装置。
【請求項８】
請求項１から請求項７のいずれか一項記載の色域生成装置において、前記色域情報取得手段は、最大彩度点における色域情報として、所定の画像信号を装置の色特性に与えて得られる信号値を使用し、最大彩度点を除いた領域における色域情報として、装置の色域の、所定の色相または明度における外郭の信号値を使用することを特徴とする色域生成装置。
【請求項９】
請求項１から請求項８のいずれか一項記載の色域生成装置において、前記装置は、カラー画像信号生成装置またはカラー画像信号に基づいて画像を出力する画像出力装置のいずれかであることを特徴とする色域生成装置。
【請求項１０】
コンピュータを、
複数の装置の色域情報を取得する色域情報取得手段、
前記色域情報に対する重み付け係数を設定する重み付け係数設定手段、
前記色域情報と重み付け係数とに基づいて、重み付け平均により前記複数の装置について仮想的に設定される仮想色域を生成する色域生成手段、として機能させることを特徴とする色域生成プログラム。
【発明の詳細な説明】
【技術分野】
【０００１】
本発明は、色域生成装置及び色域生成プログラムに関する。
【背景技術】
【０００２】
カラーディジタル複写機、カラープリンタまたはカラーディスプレイ等の画像出力装置によりカラー画像を出力する場合には、入力側のカラー画像信号生成装置に依存したカラー画像信号を画像出力装置に応じたカラー画像信号に変換する処理が行われる。
【０００３】
これらのカラー画像信号生成装置では、カラー画像信号を生成する際に用いるＣＲＴや液晶ディスプレイ、あるいはスキャナなどの画像読取装置等の色特性に応じて扱うことができる色域が制限されている。また、画像出力装置においても同様であり、例えばカラープリンタであれば使用する色材などによって再現できる色域は制限される。
【０００４】
このように、入力側のカラー画像信号生成装置と出力側の画像出力装置のいずれもが、それぞれの色域を有しており、カラー画像信号生成装置を使用して生成したカラー画像信号は、画像出力装置に応じた色域のカラー画像信号に変換（ガモット圧縮処理）してから出力することになる。この場合、カラー画像信号生成装置が生成したカラー画像信号を装置に依存しない色域に変換した後、画像出力装置に依存した色域に変換する。ここで、装置に依存しない色域としては、例えばＣＩＥ−Ｌ＊ａ＊ｂ＊均等色空間等がある。ガモット圧縮処理を行う場合には、入力側のカラー画像信号の色域を予め設定しておき、この色域を画像出力装置の色域に変換する。下記特許文献１及び特許文献２には、このような入力側のカラー画像信号の色域設定方法の例が開示されている。
【０００５】
なお、上記カラー画像信号の変換処理を実行する場合には、入力側のカラー画像信号の色域の外郭近傍において階調のつぶれ、段差等が発生する場合があるので、階調のつぶれ、段差等が発生し難い色域を設定する必要がある。
【０００６】
【特許文献１】特開２０００−１０１８６３号公報
【特許文献２】ＵＳ２００５／００３６１５９Ａ１号公報
【発明の開示】
【発明が解決しようとする課題】
【０００７】
本発明の目的は、階調のつぶれ、段差等が発生し難い色域を設定することができる色域生成装置及び色域生成プログラムを提供することにある。
【課題を解決するための手段】
【０００８】
上記目的を達成するために、請求項１記載の色域生成装置発明は、複数の装置の色域情報を取得する色域情報取得手段と、前記色域情報に対する重み付け係数を設定する重み付け係数設定手段と、前記色域情報と重み付け係数とに基づいて、重み付け平均により前記複数の装置について仮想的に設定される仮想色域を生成する色域生成手段と、を備えることを特徴とする。
【０００９】
請求項２記載の発明は、請求項１記載の発明において、前記重み付け係数が、前記複数の装置に設定された優先順位に基づいて設定されることを特徴とする。
【００１０】
請求項３記載の発明は、請求項１または請求項２記載の発明において、前記重み付け係数が、彩度を調整する彩度重み付け係数、明度を調整する明度重み付け係数、色相を調整する色相重み付け係数の少なくとも１つであることを特徴とする。
【００１１】
請求項４記載の発明は、請求項１から請求項３のいずれか一項記載の発明において、前記重み付け係数が、色相または色領域に応じて値が変更されることを特徴とする。
【００１２】
請求項５記載の発明は、請求項１から請求項４のいずれか一項記載の発明において、前記重み付け係数が、印刷目的毎に設定されることを特徴とする。
【００１３】
請求項６記載の発明は、請求項１から請求項５のいずれか一項記載の発明において、前記色域情報が、所定の画像信号を装置の色特性に与えて得られる信号値であることを特徴とする。
【００１４】
請求項７記載の発明は、請求項１から請求項５のいずれか一項記載の発明において、前記色域情報が、装置の色域の、所定の色相または明度における外郭の信号値であることを特徴とする。
【００１５】
請求項８記載の発明は、請求項１から請求項７のいずれか一項記載の発明において、前記色域情報取得手段が、最大彩度点及びその近傍における色域情報として、所定の画像信号を装置の色特性に与えて得られる信号値を使用し、最大彩度点とその近傍とを除いた領域における色域情報として、装置の色域の、所定の色相または明度における外郭の信号値を使用することを特徴とする。
【００１６】
請求項９記載の発明は、請求項１から請求項８のいずれか一項記載の発明において、前記装置が、カラー画像信号生成装置またはカラー画像信号に基づいて画像を出力する画像出力装置のいずれかであることを特徴とする。
【００１７】
請求項１０記載の色域生成プログラムの発明は、コンピュータを、複数の装置の色域情報を取得する色域情報取得手段、前記色域情報に対する重み付け係数を設定する重み付け係数設定手段、前記色域情報と重み付け係数とに基づいて、重み付け平均により前記複数の装置について仮想的に設定される仮想色域を生成する色域生成手段、として機能させることを特徴とする。
【発明の効果】
【００１８】
請求項１の発明によれば、重み付け係数により画像出力装置に入力するカラー画像信号の色域を調整し、階調のつぶれ、段差等が発生し難い色域を設定することができる。
【００１９】
請求項２の発明によれば、使用頻度等により装置に設定した優先順位に基づいて重み付け係数を設定することにより、画像出力装置に入力するカラー画像信号の色域を、上記優先順位に応じて調整することができる。
【００２０】
請求項３および請求項４の発明によれば、色領域ごとの視覚特性に応じたカラー画像信号の再現を行うことができる。
【００２１】
請求項５の発明によれば、印刷目的毎に重み付け係数を設定することにより、画像出力装置に入力するカラー画像信号の色域を、印刷目的に応じて調整することができる。
【００２２】
請求項６の発明によれば、最大彩度点及びその近傍において、装置の色域情報を正確に演算することができる。
【００２３】
請求項７の発明によれば、最大彩度点とその近傍とを除いた領域において、装置の色域情報を正確に演算することができる。
【００２４】
請求項８の発明によれば、最大彩度点及びその近傍における装置の色域情報と、最大彩度点とその近傍とを除いた領域における装置の色域情報とを正確に演算することができる。
【００２５】
請求項９の発明によれば、カラー画像信号生成装置または画像出力装置が複数設けられている場合に、そのいずれの色域情報からでも仮想色域を生成することができる。
【００２６】
請求項１０の発明によれば、重み付け係数により画像出力装置に入力するカラー画像信号の仮想色域を調整し、階調のつぶれ、段差等が発生し難い色域を設定することができる色域生成プログラムを提供できる。
【発明を実施するための最良の形態】
【００２７】
以下、本発明を実施するための最良の形態（以下、実施形態という）を、図面に従って説明する。
【００２８】
図１には、本発明にかかる色域生成装置の適用例の説明図が示される。図１において、カラー画像信号生成装置１０が生成したカラー画像信号は、色変換装置１２により画像出力装置１４に応じたカラー画像信号に変換する処理（ガモット圧縮処理等）が行われる。これは、カラー画像信号生成装置１０がカラー画像信号を生成する際に使用する、例えばｓＲＧＢ色空間や、カラー画像信号生成装置１０の色空間等と、画像出力装置１４が画像を出力する際に使用する、例えばＣＭＹＫ色空間等とでは、装置に依存している色域（色の再現範囲）が互いに異なるからである。
【００２９】
本実施形態においては、上記カラー画像信号生成装置１０及び画像出力装置１４の少なくとも一方は複数設けられている。色域生成装置１６では、複数設けられたカラー画像信号生成装置１０または画像出力装置１４からそれぞれの装置の色域情報を取得し、画像出力装置１４が出力する画像に階調のつぶれ、段差等が発生しない色域を、各装置について仮想的に設定される仮想色域として生成する。また、この仮想色域が、カラー画像信号生成装置１０から出力されるカラー画像信号または画像出力装置１４に入力されるカラー画像信号の色域とされる。すなわち、上記ガモット圧縮処理等を行う場合に、色変換装置１２が上記仮想色域により画像出力装置１４へ入力するカラー画像信号を生成する。
【００３０】
なお、上記色変換装置１２は、カラー画像信号生成装置１０または画像出力装置１４上に構成してもよく、これらの装置とは独立して構成してもよい。
【００３１】
図２には、上記色域生成装置１６のハードウエア構成の例が示される。図２において、色域生成装置１６は、中央処理装置（例えばＣＰＵを用いることができる）１８、ランダムアクセスメモリ（ＲＡＭ）２０、記憶部２２及び通信部２４を含んで構成されている。また、これらの構成要素は、バス２６により互いに接続されている。
【００３２】
ＣＰＵ１８は、記憶部２２に格納されているプログラムに基づいて、後述する各部の動作を制御する。また、ＲＡＭ２０は主としてＣＰＵ１８の作業領域として機能する。
【００３３】
記憶部２２は、読み出し専用メモリ（ＲＯＭ）またはハードディスク装置により構成され、上記プログラムその他のＣＰＵ１８が使用するデータが格納されている。
【００３４】
通信部２４は、適宜な通信インターフェースにより構成され、ＣＰＵ１８がカラー画像信号生成装置１０または画像出力装置１４とデータをやり取りするために使用する。
【００３５】
図３には、本発明にかかる色域生成装置１６の一実施形態の機能ブロック図が示される。図３において、色域生成装置１６は、色域情報取得部２８、重み付け係数設定部３０及び色域生成部３２を含んで構成されており、これらの機能はＣＰＵ１８及びＣＰＵ１８の処理動作を制御するプログラムにより実現される。
【００３６】
色域情報取得部２８は、複数設けられたカラー画像信号生成装置１０または画像出力装置１４から、各装置の色域情報を取得する。ここで、色域情報とは、各装置の色再現可能範囲の情報やｓＲＧＢなどの標準的な色空間の情報であり、例えば装置に依存しないＣＩＥ−Ｌ＊ａ＊ｂ＊均等色空間等に変換して設定される。この色域情報は、例えば所定の画像信号を各装置の色特性に与えて得られる信号値として、あるいは各装置の色域の、所定の色相または明度における外郭の信号値として表される。
【００３７】
重み付け係数設定部３０は、上記色域情報に対する重み付け係数を設定する。この重み付け係数は、上記複数のカラー画像信号生成装置１０または画像出力装置１４に優先順位を設定し、この優先順位に基づいて設定することができる。また、重み付け係数は、色域情報が設定される色空間（ＣＩＥ−Ｌ＊ａ＊ｂ＊均等色空間等）の色領域（色相の範囲）毎に設定してもよい。また、重み付け係数は、印刷目的に応じて設定し、印刷毎に切り替えることができる構成としてもよい。さらに重み付け係数は、彩度を調整する彩度重み付け係数、明度を調整する明度重み付け係数、色相を調整する色相重み付け係数等とすることができる。
【００３８】
色域生成部３２は、色域情報と重み付け係数とに基づいてカラー画像信号生成装置１０から出力されるカラー画像信号または画像出力装置１４に入力するカラー画像信号の仮想色域を生成する。すなわち、色域情報取得部２８が取得した色域を上記重み付け係数により重み付け平均し、これによって得られた色域の情報を仮想色域として出力する。重み付け平均の演算方法については後述する。また、この場合の仮想色域の情報の形式は特に限定されないが、例えば仮想色域を表すポリゴン（ガモット）や色域内外情報、色変換装置１２にて、仮想色域を用いて求めた色変換係数、カラー画像信号のプロファイルを生成するプログラム等とすることができる。
【００３９】
図４には、ＣＩＥ−Ｌ＊ａ＊ｂ＊均等色空間で表された色域の例が示される。図４において、軸Ｌ＊により明度Ｌが表され、軸ａ＊ｂ＊により彩度Ｃ及び色相Ｈが表される。すなわち、
【数１】
0004775409.tif 000002
という関係がある。
【００４０】
図４に示されたポリゴンが各装置の色域の概念図である。カラー画像信号生成装置１０及び画像出力装置１４のいずれの色域も上記ポリゴンにより表すことができるが、装置の特性によりその形状は異なっている。
【００４１】
図５には、図４の色域を表すポリゴンの所定色相における断面図が示される。図５において、縦軸がＬ＊の値であり、横軸が彩度Ｃの値である。また、図５に示された断面図は、図４の色域を表すポリゴンにおいて、ｔａｎ−１ａ＊／ｂ＊で表される角度が所定値となる断面図を表している。この断面図の各点は、色域中の所定色相における信号値（Ｌ＊ａ＊ｂ＊の各値）を表している。また、断面図の外郭曲線は、縦軸方向の上側が白点、下側が黒点となっているが、この白点および黒点で、必ずしもＬ＊軸（ａ＊＝ｂ＊＝０）と交わっているとは限らない。白点および黒点は各装置の特性に応じて定まるグレイ軸と外郭曲線との交点となっている。
【００４２】
図６には、本発明にかかる色域生成装置の動作例のフロー図が示される。図６において、色域情報取得部２８が、複数設けられたカラー画像信号生成装置１０または画像出力装置１４の色域情報を取得する（Ｓ１）。この取得方法としては、上述したように、例えば所定の画像信号を各装置の色特性に与えて信号値を得る方法があげられる。上記装置の色特性はマトリックスまたは色変換係数等の形式で与えられる。画像信号をマトリックスまたは色変換係数等の装置の色特性に与えることにより信号値を容易に求めることができる。また、上記所定の画像信号は、色相毎（ｔａｎ−１ａ＊／ｂ＊で表される角度が一定値となるよう）に複数設定され、装置の色特性から色相毎の信号値が色域情報として算出される。なお、ここで算出される色域情報は、図５に実線で示された断面図の外郭曲線であればよく、外郭曲線の内側の領域の信号値は算出しなくてもよい。また、上記所定の画像信号は、図５の外郭曲線全ての信号値を求めるように設定してもよいが、最大彩度点Ｃｍａｘ及びその近傍における外郭曲線上の信号値が求まるように設定するのが好適である。最大彩度点Ｃｍａｘ及びその近傍においてはガンマ値の影響が小さいからである。
【００４３】
なお、上記所定の画像信号は、カラー画像信号生成装置１０の場合にはＲＧＢ信号とすることができ、画像出力装置１４としてプリンタを使用する場合にはＣＭＹＫ信号とすることができる。例えばＲＧＢ信号の場合、２つの信号値を０，２５５のいずれかとし、残りの１つの信号値を変化させた値を所定の画像信号としてカラー画像信号生成装置１０の色特性に与えることによりカラー画像信号生成装置１０の色域情報（上記外郭曲線上の信号値）を求めることができる。この場合、色域情報として求める信号値は、Ｌ＊ａ＊ｂ＊値またはＬ＊ａ＊ｂ＊値から求めたＬＣＨ値とすることができる。
【００４４】
また、色域情報取得部２８が色域情報を取得する他の方法としては、例えば装置の色域の、所定の色相または明度における外郭の信号値を得る方法があげられる。この方法は、図５に示されるような所定色相での装置の色域断面を取得し、白点（Ｌ＊軸または装置のグレイ軸と外郭曲線との上側交点）と最大彩度点Ｃｍａｘとの間、または黒点（Ｌ＊軸または装置のグレイ軸と外郭曲線との下側交点）と最大彩度点Ｃｍａｘとの間で、予め定めた数で等間隔の明度における外郭曲線上の信号値を得るものである。信号値としてはＬ＊ａ＊ｂ＊値またはＬＣＨ値とすることができる。この方法では、特に最大彩度点Ｃｍａｘとその近傍とを除いた領域における色域情報を取得するのが好適である。上記領域においては、上述した画像信号を装置の色特性に与える方法では、ガンマ値により中間調再現が大きく変化し、彩度、色相が大きく変化しているため、ガモット圧縮時に色再現に好適な再現とならないからである。
【００４５】
以上に述べたいずれの方法においても、所定の数の色相において色域情報としての外郭曲線上の信号値を取得することができる。
【００４６】
次に、図６において、重み付け係数設定部３０が重み付け係数を設定する（Ｓ２）。図７（ａ），（ｂ）及び図８（ａ），（ｂ）には、重み付け係数設定部３０が設定する重み付け係数の例が示される。図７（ａ），（ｂ）は、複数のカラー画像信号生成装置１０（デバイスと表記）毎に設定された重み付け係数の例であり、各デバイスにはそれぞれ色域としてＥＣＩ、ｓＲＧＢ等が設定されている。なお、ＤｅｖｉｃｅＡ、ＤｅｖｉｃｅＢ、ＤｅｖｉｃｅＣにはそれぞれ任意の色空間が設定されている。
【００４７】
図７（ａ）では、各デバイスに優先順位（クラスと表記）を設定し、この優先順位に応じて重み付け係数αが設定されている。また、図７（ｂ）では、印刷目的に応じて重み付け係数ｘ１，ｘ２が設定されている。ここで、重み付け係数ｘ１は彩度優先の印刷に使用する重み付け係数であり、重み付け係数ｘ２は階調優先の印刷に使用する重み付け係数であって、それぞれの印刷目的に応じて切り替えることができる。図７（ｂ）の体積クラスは、各デバイスの色域の大きさを示しておりａ＞ｂ＞ｃの順序となっている。一般に、彩度優先の印刷の場合には高彩度の色変換を行うが、小さい色域を設定することにより、彩度の低下を防ぎ高彩度に変換することができる。このため、彩度優先の重み付け係数ｘ１は、小さな色域の重み付け係数の値が大きく設定されている。これに対して、階調優先の印刷の場合には階調を維持した再現となるため、大きな色域を設定することで、階調を維持した再現とする。このため、階調優先の重み付け係数ｘ２は、大きな色域の重み付け係数の値が大きく設定されている。
【００４８】
また、図８（ａ）では、縦軸が重み付け係数βの値、横軸が色相Ｈを表す角度（ｔａｎ−１ａ＊／ｂ＊）となっており、色相に応じて重み付け係数βの値が変更されている。なお、所定の色相の範囲（ｔａｎ−１ａ＊／ｂ＊の値の範囲）すなわち色領域毎に上記重み付け係数βの値を設定してもよい。このように、色相または色領域に応じて重み付け係数βの値を変更することにより、使用目的毎に重み付け係数を設定する。また、色の視覚特性は色領域によって異なるため、色領域ごとに重み付け係数βを最適化し、視覚特性に合わせた再現とする。図８（ａ）の例では、βｃが画像出力装置１４から出力される画像の彩度を調整する彩度重み付け係数であり、βｌが明度を調整する明度重み付け係数となっている。
【００４９】
また、図８（ｂ）では、縦軸が重み付け係数βの値、横軸がＲＧＢ信号のうちの２つの信号値を０，２５５のいずれかとし、残りの１つの信号値を変化させる処理を表している。これは、上述した色域情報取得部２８が色域情報を取得する方法として説明したものと同様の処理である。このようにＲＧＢ信号を変化させることにより、上述した色域情報としての外郭曲線上の点を指定することができる。本例では、図８（ｂ）の横軸のＲＧＢ信号値に応じて重み付け計数を設定することにより、それぞれ彩度を調整する彩度重み付け係数、明度を調整する明度重み付け係数、色相を調整する色相重み付け係数とすることができる。図８（ｂ）に示された重み付け係数βｃが彩度重み付け係数の例であり、重み付け係数βｌが明度重み付け係数の例であり、重み付け係数βｈが色相重み付け係数の例である。
【００５０】
なお、上記各重み付け係数は、複数のカラー画像信号生成装置１０の色域に対して設定する場合の例を説明したが、複数の画像出力装置１４の色域に対しても同様に設定することができる。
【００５１】
次に、図６において、色域情報取得部２８が取得したカラー画像信号生成装置１０または画像出力装置１４の色域情報と、重み付け係数設定部３０が設定した重み付け係数とに基づいて色域生成部３２が仮想色域の生成処理を行う（Ｓ３）。ここで生成される色域は、上述したように、複数のカラー画像信号生成装置１０または画像出力装置１４について仮想的に設定される仮想色域として、色変換装置１２が画像出力装置１４へ入力するカラー画像信号を生成する処理に使用する。この仮想色域は、上記重み付け係数により、画像出力装置１４から出力される画像に階調のつぶれ、段差等が発生し難くなるように設定される。
【００５２】
色域生成部３２が仮想色域を生成する際に行う演算の例が以下に示される。
【数２】
0004775409.tif 000003
【００５３】
上記演算式では、仮想色域として明度Ｌ、彩度Ｃ及び色相Ｈの各信号が、各装置の色域情報と重み付け係数とによる重み付け平均として算出される。ここで、式Ａにおいては、ｎ台の装置の色域情報である明度（Ｌ１…Ｌｎ）、彩度（Ｃ１…Ｃｎ）及び色相（Ｈ１…Ｈｎ）のそれぞれに対して、装置の優先順位に応じて設定された重み付け係数α１…αｎを用いて重み付け平均が算出される。ここで、上記仮想色域におけるＬＣＨの値は、例えば各色相毎（角度ｔａｎ−１ａ＊／ｂ＊毎）に算出される。色域生成部３２は、色相毎に算出したＬＣＨの値を仮想色域としてもよいし、これをＬ＊ａ＊ｂ＊値に変換し、図４に示されたポリゴンとして仮想色域を生成してもよい。
【００５４】
ここで、仮想色域としてのポリゴンのデータの保持方法は、例えばポリゴンを構成する点の信号値と各点の接続方法の情報を保持する方法、あるいは図４のＷＣＢＭで囲まれた面に部分的に示されているように、ポリゴンを構成する点により三角形を形成し、この三角形の配置方法の情報を保持する方法等がある。なお、仮想色域の保持方法は上記方法に限定されない。例えば、カラー画像信号を色変換装置１２により変換する際に使用する色変換係数あるいはカラー画像信号のプロファイルを生成するプログラム等として保持してもよい。
【００５５】
また、式Ｂにおいては、上記ｎ台の装置の色域情報である明度（Ｌ１…Ｌｎ）、彩度（Ｃ１…Ｃｎ）及び色相（Ｈ１…Ｈｎ）のそれぞれに対して、装置の優先順位に応じて設定された重み付け係数α１…αｎと明度重み付け係数βｌ、彩度重み付け係数βｃ、色相重み付け係数βｈとを用いて重み付け平均が算出される。式Ｂに示されるように、明度重み付け係数βｌは明度Ｌの算出に使用され、彩度重み付け係数βｃは彩度Ｃの算出に使用され、色相重み付け係数βｈは色相Ｈの算出に使用されている。これにより、画像出力装置１４から出力される画像の明度、彩度及び色相を調整する。式Ｂの演算を行う場合においても、仮想色域は上記と同様の保持方法により保持される。
【００５６】
なお、重み付け係数として図７（ｂ）に示された重み付け係数ｘ１，ｘ２を使用してもよい。この場合、彩度優先の印刷と階調優先の印刷とで重み付け係数ｘ１，ｘ２を使い分ける。
【００５７】
上述した、図６の各ステップを実行するためのプログラムは、記録媒体に格納することも可能であり、また、そのプログラムを通信手段によって提供することもできる。その場合、例えば、上記説明したプログラムについて、「プログラムを記録したコンピュータ読み取り可能な記録媒体」の発明として捉えることもできる。
【図面の簡単な説明】
【００５８】
【図１】本発明にかかる色域生成装置の適用例の説明図である。
【図２】本発明にかかる色域生成装置のハードウエア構成の例を示す図である。
【図３】本発明にかかる色域生成装置の一実施形態の機能ブロック図である。
【図４】ＣＩＥ−Ｌ＊ａ＊ｂ＊均等色空間で表された色域の例を示す図である。
【図５】図４に示された色域を表すポリゴンの所定色相における断面図である。
【図６】本発明にかかる色域生成装置の動作例のフロー図である。
【図７】本発明にかかる色域生成装置の重み付け係数設定部が設定する重み付け係数の例を示す図である。
【図８】本発明にかかる色域生成装置の重み付け係数設定部が設定する重み付け係数の例を示す図である。
【符号の説明】
【００５９】
１０  カラー画像信号生成装置、１２  色変換装置、１４  画像出力装置、１６  色域生成装置、１８  ＣＰＵ、２０  ＲＡＭ、２２  記憶部、２４  通信部、２６  バス、２８  色域情報取得部、３０  重み付け係数設定部、３２  色域生成部。
【図１】
0004775409.tif 000004
【図２】
0004775409.tif 000005
【図３】
0004775409.tif 000006
【図４】
0004775409.tif 000007
【図５】
0004775409.tif 000008
【図６】
0004775409.tif 000009
【図７】
0004775409.tif 000010
【図８】
0004775409.tif 000011